(57)【要約】【課題】既存のカードケースないし冊子ケースを、記録情報の改竄や不正な読取りを防止したケースとするための、簡易で経済的な技術手段を提供する。【解決手段】柔軟な基材シート５と、この基材シートのシート面に貼着された金属箔６と、この金属箔の箔面又は前記基材シートの金属箔を貼付けた側と反対側の面に添着された磁性粉末層７とを備え、当該磁性粉末層は、バインダーに磁性体金属ないしその酸化物の粉末を混入した層であることを特徴とする、カードないし冊子ケース用電磁波遮蔽シートを提供する。磁性粉末層７の外面の一部に粘着剤層８を備えたものとするのが好ましい。磁性粉末層７を外側にして二つ折りにし、カードケースないし冊子ケースの収納部３に差込んで位置を合わせた後、粘着剤層８でカードケースないし冊子ケース内面に貼着して使用する。【選択図】      図３
2006294016.tif 000002
【特許請求の範囲】
【請求項１】
金属箔層と、その面の一方の側に配置された磁性粉末層と、これらの層に添設された柔軟な基材シートとを含む積層シートからなる、カードないし冊子ケース用電磁波遮蔽シート。
【請求項２】
柔軟な基材シートと、この基材シートのシート面に貼着された金属箔と、この金属箔の箔面に添着された保護層とを備え、当該保護層は、バインダーに磁性体金属ないしその酸化物の粉末を混入した磁性粉末層を備えている、請求項１記載のカードないし冊子ケース用電磁波遮蔽シート。
【請求項３】
柔軟な基材シートと、この基材シートのシート面に貼着された金属箔と、前記基材シートの金属箔を貼付けた側と反対側の面に添着された磁性粉末層とを備え、当該磁性粉末層は、バインダーに磁性体金属ないしその酸化物の粉末を混入した層であることを特徴とする、請求項１記載のカードないし冊子ケース用電磁波遮蔽シート。
【請求項４】
柔軟な基材シートと、この基材シートのシート面に貼着された金属箔と、この金属箔の箔面に塗着された保護コーティング層とを備え、当該保護コーティング層は、金属粉を混入した塗料層である、カードないし冊子ケース用電磁波遮蔽シート。
【請求項５】
前記コーティング層の外面の一部に粘着剤層を備えている、請求項３記載の電磁波遮蔽シート。
【発明の詳細な説明】
【技術分野】
【０００１】
この発明は、キャッシュカード、各種のプリペイドカード、ＩＤ（身分証明）カード等の非接触読取り可能なＩＣ（集積回路）カードやＩＣを内蔵した預金通帳などの冊子のデータの不正読取りを防止するために用いる電磁波遮蔽シートに関するものである。
【背景技術】
【０００２】
ＩＣメモリと無線通信手段を備えた非接触読取り可能な記録媒体カードがキャッシュカードやプリペイドカードなどの金融カード、身分証明書などとして広く用いられている。また、預金通帳などの冊子にメモリと無線通信手段を備えたＩＣを埋め込んで、カードリーダに挿入したときにＩＣに記録された情報を非接触で読取るようにした冊子がある。これらのカードや冊子（以下、「非接触型記録媒体」という。）の情報記憶容量は飛躍的に増大しており、記録された情報の改竄や秘密情報の漏出を防止するため、情報の読取りや書込みをパスワード等で保護するようにしており、ＩＣにはパスワードと照合する照合データが記録されている。
【０００３】
これらの非接触型記録媒体は、カードケースや冊子ケースに収納して洋服のポケットや鞄に入れて携行されることが多い。しかし、非接触型記録媒体は皮革や布帛を通して記録されている情報を読取ることが可能であるため、洋服のポケットや鞄などに入れた非接触型記録媒体から情報を読取られ、クローンカードを偽造されて犯罪行為に利用される危険がある。
【０００４】
非接触型記録媒体の携行中におけるデータの破壊、改竄、不正取得等を防止することを課題として、下記特許文献１には、 折り目を介して重なるように折り畳まれる第１折り畳み部と第２折り畳み部とを有する本体と、第１折り畳み部側に設けられカード収納ポケットと、第２折り畳み部に設けられた電磁波遮断シートとを備えた非接触型記録媒体の収納ケースが提案されており、電磁波遮断シートとして、金属、金属系繊維、金属膜が塗布された布、または金属膜が蒸着された布を用いることが示されている。
【特許文献１】特開２００３−３００５７９号公報
【発明の開示】
【発明が解決しようとする課題】
【０００５】
上記従来手段は、カードケースとなる財布や鞄の一方の側からはデータを読取ることが可能であるため、定期券などを収容するときは便利であるが、キャッシュカードなどのより重要な情報を記録したカードのケースとしては、情報の保護が十分とは言えない。
【０００６】
また、従来手段では、非接触型記録媒体の情報の保護を図ろうとすれば、情報の改竄や読取りを防止した構造の新たなカードケースないし冊子ケースを購入しなければならず、現に所有しているカードケースないし冊子ケースは結局破棄されることとなるので、不経済であると共に、廃棄物の増大を招くことになり、好ましくない。
【０００７】
この発明は、既存のカードケースないし冊子ケースを、記録情報の改竄や不正な読取りを防止したカードケースないし冊子ケースとするための、簡易で経済的な技術手段を提供することを課題としている。
【課題を解決するための手段】
【０００８】
この発明は、金属箔層６と、その面の一方の側に配置された磁性粉末層７と、これらの層に添設保持する柔軟な基材シート５とを含む積層シートからなるカードないし冊子ケース用電磁波遮蔽シートを提供することにより、上記課題を解決したものである。
【０００９】
この発明の上記電磁波遮蔽シートは、柔軟な基材シート５のシート面に金属箔６を貼着し、この金属箔の箔面又は基材シート５の金属箔を貼付けた側と反対側の面に、磁性体金属ないしその酸化物の粉末を混入した塗料ないしコーティング剤をスクリーン印刷、吹き付け、塗布などする方法、当該箔面ないし基材シート５の反対側の面に上記の塗料ないしコーティング剤層７を設けたシート１１を貼着する方法により、製造することができる。
【００１０】
本願の請求項２の発明は、柔軟な基材シート５と、この基材シートのシート面に貼着された金属箔６と、この金属箔の箔面に添着された磁性粉末層７とを備え、当該磁性粉末層は、バインダーに磁性体金属ないしその酸化物の粉末を混入した層であることを特徴とする、請求項１記載のカードないし冊子ケース用電磁波遮蔽シートである。
【００１１】
また、本願の請求項３の発明は、柔軟な基材シート５と、この基材シートのシート面に貼着された金属箔６と、前記基材シートの金属箔を貼付けた側と反対側の面に添着された磁性粉末層７とを備え、当該磁性粉末層は、バインダーに磁性体金属ないしその酸化物の粉末を混入した層であることを特徴とする、請求項１記載のカードないし冊子ケース用電磁波遮蔽シートである。
【００１２】
基材シート５としては、軟質樹脂シートを用いるのが好ましい。薄い織布や不織布に接着剤となる樹脂をコーティングしたものを用いることもできる。金属箔６は、アルミ箔、真鍮箔、洋白箔、銀箔、白金箔、金箔などである。磁性粉末層７は、乾燥したときに柔軟性を有するバインダーにフェライト等の磁性体金属ないしその酸化物の粉末を混入した塗料ないしコーティング剤の層である。金属箔６及び磁性粉末層７の層厚さは、それぞれ５０ミクロン以上とする。層厚さの上限は特に規定されないが、不必要に厚くする必要はなく、２００ミクロン以下とするのが合理的である。
【００１３】
本願の請求項４の発明は、柔軟な基材シート５と、この基材シートのシート面に貼着された金属箔６と、この金属箔の箔面に塗着された保護コーティング層７とを備え、当該保護コーティング層は、金属粉を混入した塗料層であることを特徴とするカードないし冊子ケース用電磁波遮蔽シートを提供することにより、上記課題を解決したものである。
【００１４】
保護コーティング層７は、金属箔６の上にスクリーン印刷、吹き付け、塗布などにより樹脂ないし塗料を塗布することにより形成される。
【００１５】
金属粉を含む塗料としては、市販のメタリック塗料のうち、乾燥したときに柔軟性を有するバインダーを用いたものを使用することができる。好ましくは、フェライト等の磁性体金属ないしその酸化物の粉末を混入した塗料を用いる。
【００１６】
上記構造の電磁波遮蔽シート１の前記磁性体粉末層ないしコーティング層７の外面の一部に粘着剤層８を備えたものとすることにより、カードないし冊子ケースへの電磁波遮蔽シートの装着が容易になる。
【発明の効果】
【００１７】
この発明の電磁波遮蔽シート１は、二つ折りにして装着しようとするカードケースないし冊子ケース２の収納部３の寸法に合わせて切断ないしトリミングし、当該収納部に差込んで位置を合わせた後、カードケースないし冊子ケース２の内面に貼着することにより装着される。貼着剤層８を設けたときは、このカードケースないし冊子ケース内面に貼着する作業が容易になる。
【００１８】
非接触型記録媒体を携行するとき、当該記録媒体を二つ折りにした電磁波遮蔽シート１の間に入れて携行することにより、ケースに収納した非接触型記録媒体の、携行中における情報の不正な改竄や読取りを防止できる。
【００１９】
金属箔６の上に金属粉、特にフェライトなどの磁性体金属ないしその酸化物の粉末を含む塗料を塗布して保護コーティング層７を形成したシートは、電磁波の遮蔽作用が高く、情報の改竄や不正な読取りをより確実に防止できる。
【００２０】
金属箔層６と磁性粉末層７とを備えたこの発明の電磁波遮蔽シート１は、上記のようにして用いることができるほか、磁性粉末層７を外側にして二つ折りにしてカードケースないし冊子ケース３に装着したとき、装着した電磁波遮蔽シート１とケース外皮２ａとの間に収納した非接触型記録媒体１０ｂを、ケース外皮２ａ側から読取ることができるようになる。当該非接触型記録媒体１０ｂは、電磁波遮蔽シート１側からは読取ることができない。
【００２１】
また、金属箔層６と磁性粉末層７とを備えたこの発明の電磁波遮蔽シート１は、二つ折りにしない一枚のままにしてカードケースないし冊子ケース３に装着したとき、装着した電磁波遮蔽シート１の磁性粉末層７側の面とケース外皮との間に収納した非接触型記録媒体を、ケース外皮側から読取ることができる。一方、装着した電磁波遮蔽シートの金属箔６側の面とケース外皮との間に収納した非接触型記録媒体は、いずれの側からも読取ることができないようになる。
【発明を実施するための最良の形態】
【００２２】
以下、図面を参照してこの発明の電磁波遮蔽シート及びこれをカードケースないし冊子ケースに装着する例を説明する。図１は、一枚のカードないし一冊の冊子を収納する最も簡単な構造のカードケースにこの発明の電磁波遮蔽シートを装着する例を示した図である。図中、１は電磁波遮蔽シート、２はカードケース、３はカード収納部、４はその収納口である。
【００２３】
電磁波遮蔽シート１は、図２に示すように、柔軟な塩化ビニールシートやＰＥＴシートなどの矩形の樹脂フィルムからなる基材シート５と、この基材シートの外側面に貼着された金属箔６と、この金属箔の更に外側面に形成された保護コーティング層７と、シートの両端部分において保護コーティング層７に貼着された両面接着テープ８を含む積層シートである。基材シート５の厚さは、６０〜１００ミクロン程度が好適である。金属箔６は、基材シート５にスクリーン印刷、吹き付け、塗布などにより形成した接着剤層により貼着されている。両面接着テープ８は、剥離テープに粘着剤層を設けたもので、その粘着剤層により保護コーティング層７に貼着されている。
【００２４】
好ましい保護コーティング層７は、フェライト粉末などからなる磁性粉末層である。図の保護コーティング層７は、金属箔６の箔面に軟質のバインダーにフェライト粉末を混入した塗料ないしコーティング剤をスクリーン印刷、吹付け、塗布などにより形成したものであるが、同様な方法で基材シート５の反金属箔側の面に保護コーティング層７を形成しても良い。また、片面にフェライト粉末層を設けたシートも製作されているので、図２に示すように、基材シート５に貼着された金属箔６の箔面や基材シート５の反金属箔側の面に、そのようなシート１１を貼着することによって、磁性粉末層７を形成することもできる。
【００２５】
このようにして得られた電磁波遮蔽シート１を所定寸法に切断し、基材シート５を内側にして折曲げ、その折曲げ辺を先頭にしてカードケースの収納部３に収納する。そして両面接着テープ８の剥離テープを剥がして露出した粘着剤層により電磁波遮蔽シート１の両端部をカードケース２の内側面に接着する。
【００２６】
このようにして電磁波遮蔽シート１を装着したカードケース２は、収納部３に収納された非接触型記録媒体の両面に金属箔６による電磁波遮蔽層が形成されるので、携行中に記録データが改竄されたり不正な読取りが行われるのを防止できる。そして既存のカードケースないし冊子ケース３にこの発明の電磁波遮蔽シート１を二つ折りにして挿入し、粘着剤層８でケース内面に貼着するだけで装着できるので、簡便でありかつ既存のカードケースをそのまま使えるので、経済的で廃棄物の増大も防止できる。
【００２７】
保護コーティング層７をフェライト粉等の磁性体金属やその酸化物を混入した塗料で形成することにより、金属箔単独の場合に比べてより完全な電磁波の遮蔽が可能になる。
【００２８】
図１、３の例では、両面接着テープ８を二つ折りにした電磁波遮蔽シートの上辺部分に設けているが、図４に示すように、磁性粉末層７を外側にして二つ折りにした電磁波遮蔽シート１の折曲部に両面接着テープ８を設けてカードケース２に装着したときは、図５に示すように、二つ折りにした電磁波遮蔽シート１の間の一箇所の収納部３ａと、電磁波遮蔽シート１とケース外皮２ａとの間の２箇所の収納部３ｂとの、三箇所のカード収納部が形成される。
【００２９】
このとき、電磁波遮蔽シート１とケース外皮２ａとの間の収納部３ｂに収納した非接触型記録媒体１０ｂは、ケース外皮２ａ側から読取ることができる。一方、二つ折りにした電磁波遮蔽シート１の間の収納部３ａに収納した非接触型記録媒体１０ａは、ケースのいずれの側からも読取ることができなくなる。
【００３０】
従って、頻繁に使用する２枚の乗車カードと高い守秘性が必要な金融カードとを携行するとき、２枚の乗車カード１０ｂを電磁波遮蔽シート１とケース外皮２ａとの間の収納部３ｂに一枚ずつ収納し、金融カート１０ａは電磁波遮蔽シート１の間の収納部３ａに収納しておけば、２枚の乗車カード１０ｂはカードケースに入れたまま読取り時に相互に干渉を起こさせることなく使用することができ、また金融カード１０ａはカードケース２から取出さない限り読取れないので、携行中の不正な読取りを確実に防止できる。
【００３１】
図６に示すように、２つ折り財布の内側面にカスケード状に複数のカードケース２が設けられているような場合には、各カードケース２毎に上記のようにして電磁波遮蔽シートを装着することもできるが、２つ折りになった札入れ９に電磁波遮蔽シート１を挿入して装着すれば、財布を二つ折りにした状態で複数のカードケース２に収納された非接触型記録媒体の両面が電磁波遮蔽シート１で保護されることとなり、また、非接触型記録媒体を札入れ９に入れたときも保護されるこことなって好都合である。
【図面の簡単な説明】
【００３２】
【図１】この発明の電磁波遮蔽シートとこれを装着するカードケースの斜視図
【図２】磁性粉末層を形成する方法の一例を示した部分断面図
【図３】図１の電磁波遮蔽シートの構造を示す断面図
【図４】図３と異なる構造の電磁波遮蔽シートの断面図
【図５】カードケースに３個のカード収納部を形成する例を示した断面図
【図６】２つ折り財布に電磁波遮蔽シートを装着する例を示す斜視図
【符号の説明】
【００３３】
１  電磁波遮蔽シート
３  収納部
５  基材シート
６  金属箔
７  磁性粉末層（保護コーティング層）
８  両面接着テープ
【図１】
2006294016.tif 000003
【図２】
2006294016.tif 000004
【図３】
2006294016.tif 000005
【図４】
2006294016.tif 000006
【図５】
2006294016.tif 000007
【図６】
2006294016.tif 000008